(57)【要約】【課題】この発明は、容器本体を体の動きに合致した安定した装着を実現したうえで、取付け形態の多様化を図り得るようにすることにある。【解決手段】容器本体１０の後方側に、釣り人のポケット１４の前布部等に装着する係止部材１３を、ベルト部材１２を介して前後方向に回動可能に設けて、このベルト部材１２を介して係止部材１３を容器本体１０に対する前後方向の回動位置を設定することにより、容器本体１０の前後方向の傾き角を設定するように構成したものである。【選択図】      図５
2006006165.tif 000002
【特許請求の範囲】
【請求項１】
容器本体と、
被取付体に着脱可能に装着されるものであって、前記容器本体の後方側に前後方向に回動可能に設けられる係止部と、
この係止部を前記容器本体に対する前後方向の回動位置で位置決めして前記容器本体の前後方向の傾きを設定する角度設定手段と、
を具備することを特徴とする釣り用餌箱。
【請求項２】
前記容器本体には、上面に開口が設けられ、該開口を開閉する蓋体が前方側を回動軸として前後方向に回動自在に設けられることを特徴とする請求項１記載の釣り用餌箱。
【請求項３】
前記係止部は、前記容器本体に対して略垂直位置より前方方向に角度調整可能に配置されることを特徴とする請求項１又は２記載の釣り用餌箱。
【発明の詳細な説明】
【技術分野】
【０００１】
この発明は、例えば餌を収容して携帯し、移動しながら魚釣りを行うのに用いる釣り用餌箱に関する。
【背景技術】
【０００２】
従来より、魚釣りに用いる釣り用餌箱においては、移動しながら魚釣りを行うことができるように、餌を収容した容器本体を身につけて、すぐに容器内の餌を取り出すことが可能な携帯型がある。このような釣り用餌箱としては、容器本体の周壁にフック状の保持部を設け、この保持部に釣り人のバンドを通して釣り人の腰に下げる方式のものが知られている（例えば、特許文献１参照。）。
【特許文献１】実願昭６３−１２２０８３号公報
【発明の開示】
【発明が解決しようとする課題】
【０００３】
しかしながら、上記釣り用餌箱では、その使用形態が釣り人の腰に下げて容器本体内の餌を取り出して餌付け作業を行うこととなるために、その餌付けから魚釣り動作の一連の動作に大きな動きが必要となるため、魚釣り形態によっては、餌付け作業が煩雑なものとなっている。
【０００４】
そこで、このような釣り形態の場合には、上記釣り用餌箱のフック状の保持部を利用して、容器本体を釣り人の衣服の胸のポケット等の腰より上の部位に直接的に装着して、魚釣り形態の多様化に対応することも考えられる。
【０００５】
ところが、上記釣り用餌箱では、釣り人の腰より上に装着した場合、釣り人が前に屈んだりすると、容器本体が前に大きく傾いて、収容される水や餌がこぼれたりする虞を有するために、魚釣り動作に制約を与えるという不都合を有する。
【０００６】
この発明は上記の事情に鑑みてなされたもので、釣り姿勢に影響を受けることなく、収容物の確実な収納を実現し得、且つ、取付形態の多様化を図り得るようにした釣り用餌箱を提供することを目的とする。
【課題を解決するための手段】
【０００７】
この発明は、容器本体と、被取付体に着脱可能に装着されるものであって、前記容器本体の後方側に前後方向に回動可能に設けられる係止部と、この係止部を前記容器本体に対する前後方向の回動位置で位置決めして前記容器本体の前後方向の傾きを設定する角度設定手段とを備えて釣り用餌箱を構成した。
【０００８】
上記構成によれば、係止部は、例えば角度調整手段を介して容器本体に対して前後方向に略垂直状に角度設定されて、被取付部、例えば釣り人の衣服の胸等のポケットに装着され、釣り人が、前に屈んだりする場合に、その角度調整手段を介して前方方向に回動させて容器本体に対して前方側に傾斜させた状態に設定する。これにより、釣り人の釣り姿勢等に応じた装着形態が実現されて各釣り姿勢において、容器本体が、前方側に傾き過ぎて、収容される水や餌が外にこぼれるのを効果的に防止することが可能となる。
【発明の効果】
【０００９】
この発明によれば、釣り姿勢に影響を受けることなく、収容物の確実な収納を実現し得、且つ、取付形態の多様化を図り得るようにした釣り用餌箱を提供することができる。
【発明を実施するための最良の形態】
【００１０】
以下、この発明の実施の形態について、図面を参照して詳細に説明する。
【００１１】
図１及び図２は、この発明の第１の実施の形態に係る釣り用餌箱を示すもので、図１は後方側から見た状態を示し、図２は、側方から見た状態を示す。
【００１２】
即ち、容器本体１０は、例えばポリプロプレン等の合成樹脂を用いて金型成型で断面略四辺形状に成形されて、その上面に開口１０１が設けられる（図３参照）。そして、この容器本体１０の開口１０１には、蓋体１１が、その前方側が回動軸１１１を介して前後方向に回動自在に支持されて、開放可能に被着される。この蓋体１１は、その後方側に弾性変形自在なロック部１１２が設けられ、このロック部１１２が後述する角度設定手段を構成するベルト部材１２に設けられるロック孔１２１に弾性係合されて閉塞位置に位置決めロックされる（図３参照）。
【００１３】
また、上記容器本体１０には、その後方側に上記ベルト部材１２の一端が固定される。このベルト部材１２は、その中間部に回動部を構成する第１及び第２のヒンジ部１２２，１２３が所定の間隔に設けられ、この第１及び第２のヒンジ部１２２，１２３の間には、係止部を構成する係止部材１３が配される。この係止部材１３には、取付部１３１が設けられ、この取付部１３１が、その上下方向に設けた挿通孔にベルト部材１２が挿通されて上記ベルト部材１２の第１及び第２のヒンジ部１２２，１２３との間に取付けられる。
【００１４】
そして、この取付部１３１には、例えば図１の正面視で略Ｕ字状の弾性係止部１３２の両端部が、その底部側を下方方向に向けた状態で弾性変形自在に取付けられ、図２のように、この弾性係止部１３２の下方側の先端部（自由端部）には、抜け止め用の係止爪１３３が設けられる。これにより、フック状に形成した係止部材１３は、その弾性係止部１３２を弾性変形させて、例えば釣り人のベルトあるいは衣服の前身ごろや胸ポケット１４（図５参照）の前布部等を開口部１３５から係止溝１３４に差し込んで取付部１３１との間で挟装するように装着されると、その係止爪１３３の作用によりその抜けが防止される。
【００１５】
上記ベルト部材１２の他端部には、延設部１２４が上記容器本体１０の底面に対応して設けられ、この延設部１２４には、その中間部に角度調整用の複数の係合孔１２５が所定の間隔を有して設けられる。これら複数の係合孔１２５は、相互間が連通される。この延設部１２４の複数の係合孔１２５の部位は、上記容器本体１０の底面の後方側に設けられた略コ字状の架設部１０２内に出入り自在に挿通される。この架設部１０２は、例えば螺子１０３を用いて容器本体１０の底面に取付られ、容器本体１０の底面における前方側の両側に突出して設けられた脚部１０４と協働して該容器本体１０の載置に供される（図４参照）。
【００１６】
上記架設部１０２には、係合凸部１０５が上記延設部１２４の係合孔１２５に対向して設けられ、この係合凸部１０５が上記延設部１２４の複数の係合孔１２５に選択的に挿入されて該延設部１２４の前後方向の出入りを規制し、ベルト部材１２の第１及び第２のヒンジ部１２２，１２３の回動角を規制する。
【００１７】
また、上記延設部１２４の先端には、一対の弾性係止部１２６、１２６が設けられる。この弾性係止部１２６、１２６は、上記容器本体１０の底面に配された略コ字状の係止体１０６に対して弾性係合され、その弾性係合状態でベルト部材１２に取付けられた係止部材１３を容器本体１０の後方面に略垂直状に位置決めする。この際、上記架設部１０２の係合凸部１０５は、上記延設部１２４の複数の係合孔１２５のいずれかに挿入され、ベルト部材１２の第１及び第２のヒンジ部１２２，１２３が略直角状に位置決めされ、その開口部１３５を下方にしてポケット１４等が差し込まれる係止溝１３４の方向（２点鎖線で示す係止溝１３４の開口部１３５からその奥へ向かう係止溝の方向）は垂直状に位置決めされる。ここで、係止部材１３は、容器本体１０の開口１０１を水平にした状態で容器本体１０の後方側に略垂直状に位置決めされる（図３及び図４参照）。
【００１８】
上記ベルト部材１２は、その弾性係止部１２６，１２６が容器本体１０の係止体１０６から離脱され、その延設部１２４が架設部１０２に沿って容器本体１０の後方側に移動可能となる。ここで、ベルト部材１２は、その延設部１２４の係合孔１２５に対する架設部１０２の係合凸部１０５の挿入位置を可変することで、その挿入位置に応じて第１及び第２のヒンジ部１２２，１２３が回動されてその間のベルト部材１２及びこれに取付けた容器本体１０が回動され、その前方方向への傾斜が可変されて、係止部材１３の前後方向の傾斜角が所望の角度に設定される（図５及び図６参照）。これにより、係止部１３の係止溝１３４の傾きが容器本体１０の前後方向へ可変される。例えば、２点鎖線で示す係止溝１３４の開口部１３５からその奥へ向かう係止溝１３４の方向は、図３から図５のように前方側に傾けることができる。
【００１９】
上記構成において、容器本体１０を、例えば釣り人の衣服のポケット１４の前布部に装着する場合には、例えば容器本体１０の蓋体１１を閉じてロックした状態で、ベルト部材１２の延設部１２４の弾性係止部１２６、１２６を、容器本体１０の係止帯１０６に弾性力を利用して係止させる。この際、ベルト部材１２は、その延設部１２４の所望の係止孔１２５に対して容器本体１０の架設部１０２の係合凸部１０５を挿入させる。これにより、ベルト部材１２は、その第１及び第２のヒンジ部１２２，１２３が略直角形状に位置規制され、該第１及び第２のヒンジ部１２２，１２３間の係止部材１３が容器本体１０の後方側に沿って略垂直状の位置規制される。この状態で、係止部材１３がその弾性力を利用して例えば釣り人の衣服のポケット１４、あるいは釣り人のバンドに装着される（図３及び図４参照）。
【００２０】
また、上記容器本体１０は、例えば釣り人の釣り姿勢が前屈みになるような場合やポケット１４等に装着した時に重さで容器本体１０の前方側が下方へ傾斜してしまうような場合に、同様に容器本体１０の蓋体１１を閉じてロックした状態で、ベルト部材１２の延設部１２４の弾性係止部１２６，１２６を、その弾性力を利用して容器本体１０の係止体１０６から離脱させる。この状態で、ベルト部材１２の延設部１２４の係合孔１２５に係合される架設部１０２の係合凸部１０５を離脱させ、ベルト部材１２を架設部１０２に沿って容器本体１０の後方側に引出す。すると、ベルト部材１２は、その第１及び第２のヒンジ部１２２，１２３が回動されて係止部材１３を容器本体１０に対して前方方向に傾斜させ、離脱した係合凸部１０５を延設部１２４のより先端側の係合孔１２５に係合することで、ヒンジ部１２２，１２３の回動が規制され、係止部材１３の傾斜状態が維持されて位置決めされる（図５及び図６参照）。
【００２１】
ここで、係止部材１３は、容器本体１０に対して前方方向に傾斜され、例えば釣り人のポケット１４の前布部に装着すると、その傾斜角に応じて容器本体１０の前方側が後方側よりも持ち上がった状態に傾斜される。これにより、容器本体１０は、釣り人の釣り姿勢等が、所謂、前屈みになったり、餌箱の重さで前方側が下方に傾くように装着されるような場合でも、その上面が、大きく前に傾くことがなくなり、釣り人が、所望の場所に移動したり、あるいはその蓋体１１を開いて釣竿に餌付けを行う場合にも、収容される餌や水等がこぼれたりするのを気にすることなく行うことができる。
【００２２】
なお、上記説明では、容器本体１０の係止部材１３を、釣り人の衣服のポケット１４の前布部に装着した場合を代表して説明したが、その他、釣り人のバンドを利用して挿着したり、衣服の前身ごろを利用して装着したりしてもよい。
【００２３】
このように、上記釣り用餌箱は、容器本体１０の後方側に、釣り人のポケット１４の前布部等に装着する係止部材１３を、ベルト部材１２を介して前後方向に回動可能に設けて、このベルト部材１２を介して係止部材１３を容器本体１０に対する前後方向の回動位置を設定することにより、容器本体１０の前後方向の傾きを設定するように構成した。
【００２４】
これによれば、ベルト部材１２の係合孔１２５に係合凸部１０５を係合してヒンジ部１２２，１２３の回動及びこれに連動する係止部材１３の回動を規制するストッパーを形成し、このストッパーを係止部材１３の傾きを設定する角度設定手段として設け、係止部材１３を、ベルト部材１２を介して容器本体１０に対して前後方向に略垂直状に角度設定したり、容器本体１０に対して前方側に傾斜させて設定することにより、釣り人の釣り姿勢等に応じた最適な装着を実現したうえで、その各釣り姿勢において、容器本体１０が前方側に傾き過ぎて、収容される水や餌が外にこぼれるのを効果的に防止することができる。これにより、釣り人が、容器本体１０の水や餌がこぼれるのの気にすることなく、釣り動作に集中することが可能となる。
【００２５】
また、この発明は、上記実施の形態に限ることなく、その他、図７あるいは、図８乃至図１１に示すように容器本体１０の前後方向への角度調整構造を構成することも可能で、上記実施の形態と略同様の効果を期待することができる。但し、この図７乃至図１１においては、上記図１乃至図６と同一部分について同一符号を付して、そ詳細な説明を省略する。
【００２６】
図７は、この発明の第２の実施の形態に係る釣り用餌箱を示すもので、係止部を構成する係止部材である弾性変形自在な弾性係合部２０を、上記ベルト部材１２の第１及び第２のヒンジ部１２２，１２３間に一体的に形成したものである。そして、この弾性係合部２０の下方側の先端部（自由端部）には、係止爪２１がベルト部材１２に対向して設けられ、ポケット１４の前布部等を開口部２３から係止溝２２に差し込んでベルト部材１２との間で挟装するように装着され、抜けが防止される。このベルト部材１２は、上述したようにその他端部に設けられた延設部１２４を容器本体１０の架設部１０２に沿って前後方向に移動させることにより、第１及び第２のヒンジ部１２２，１２３が回動され、その間に配置される弾性係合部２０の容器本体１０の後方側における前後方向の傾斜角が可変設定される。
【００２７】
また、図８乃至図１１は、この発明の第３の実施の形態に係る釣り用餌箱を示すもので、容器本体１０の後方側には、支持部３０が突設される。そして、この支持部３０には、係止部を構成する係止部材３１が回動軸３２を介して容器本体１０の前後方向に回動自在に配設される。
【００２８】
即ち、係止部材３１には、一対の取付部３１１、３１１が所定の間隔に設けられ（図１０参照）、この一対の取付部３１１，３１１が上記支持部３０を挟装した状態で、相互に上記回動軸３２が挿通され、係止部材１３が回動軸３２に回動可能に支持される。この支持部３０と一対の取付部３１１，３１１との相互の当接部には、それぞれ凹凸部３０１、３１２が環状に形成され（図１０参照、但し、図中では、図の都合上、嵌合した状態を示す）、その回動位置に応じて相互の凹凸部３０１，３１２が係合されて位置決めされる。
【００２９】
上記回動軸３２には、一端に螺子部３２１が設けられ、その他端に操作摘み３２２が設けられる。そして、この回動軸３２は、その螺子部３２１が、上記支持部３０に挿通された後、一方の取付部３１１に設けられたナット部材３１３に螺合調整自在に螺合され、その操作摘み３２２が他方の取付部３１１の外側に回転操作可能に配される、これにより、回動軸３２は、その操作摘み３２２の回転操作により、その螺子部３２１と、一方の取付部３１１のナット部材３１３との螺合が緩められると、取付部３１１，３１１の支持部３０に対する回動が可能となり、その螺子部３２１と、一方の取付部３１１のナット部材３１３との螺合が締め付けられると、取付部３１１，３１１の支持部３０に対する回動を規制して相互間を位置決めする。このように、ナット部材３１３に螺合する回動軸３２の操作摘み３２２による係合部材３１の取付部３１１，３１１の締め付けと、上記凹凸部３０１，３０２の係合によって係止部材１３の回動を規制するストッパーを形成し、係止部材１３の傾きを設定する角度設定手段となっている。
【００３０】
また、上記取付部３１１，３１１には、例えば図９の正面視にて略Ｕ字状の弾性係止部３１４の両端部が、その底部側を下方方向に向けた状態で弾性変形自在に取付けられ、この弾性係止部３１４の下方側の先端部（自由端部）には、抜け止め用の係止爪３１５が設けられる。これにより、フック状に形成した係止部材３１は、その弾性係止部３１４を弾性変形させて、例えば釣り人のベルトあるいは衣服の前身ごろやポケット１４（図５参照）の前布部等を開口部１３７から係止溝３１６に差し込んで挟装するように装着されると、その係止爪３１５の作用によりその抜けが防止される。
【００３１】
上記構成において、係止部材３１は、操作摘み３２２を回転操作して、回動軸３２を回転させて螺子部３２１とナット部材３１３との螺合を緩めると、その取付部３１１，３１１が支持部３０に対して回転可能となる。ここで、係止部材３１は、回動軸３２回りに回動させて容器本体１０に対して所望の角度だけ回動させて、その取付部３１１，３１１の凹凸部３１２と支持部３０の凹凸部３０１を、所望に位置で係合させることで、容器本体１０に対して前後方向の傾斜角が可変設定される（図８及び図１１参照）。その後、上記操作摘み３２２を反転させて、回動軸３２の螺子部３２１とナット部材３１３との螺合が締めつめられる。ここで、係止部材３１は、容器本体１０に対して所望の角度だけ傾斜された状態に相互間が位置決め固定され、上述したように釣り人のポケット１４等に装着されると、容器本体１０の後方側が下向きとなる所望の傾斜角に設定される。
【００３２】
また、再び、係止部材３１の前後方向の傾斜角を可変する場合には、上述したように操作摘み３２２を操作して回動軸３２の螺子部３２１とナット部材３１３との螺合を緩めて、係止部材３１を容器本体１０に対して前後方向に回動させ、その後、同様に操作摘み３２２を反転させて回動軸３２の螺子部３２１とナット部材３１３との螺合を締め付けることでその傾斜角を調整する。
【００３３】
なお、上記各実施の形態では、断面略四辺形状の容器本体１０に適用した場合で説明したが、これに限ることなく、その他、断面略楕円形状等の各種の形状のものに適用することが可能で、いずれにおいても同様の効果が期待される。
【００３４】
よって、この発明は、上記実施の形態に限ることなく、その他、実施段階ではその要旨を逸脱しない範囲で種々の変形を実施し得ることが可能である。さらに、上記実施の形態には、種々の段階の発明が含まれており、開示される複数の構成要件における適宜な組合せにより種々の発明が抽出され得る。
【００３５】
例えば実施の形態に示される全構成要件から幾つかの構成要件が削除されても、発明が解決しようとする課題の欄で述べた課題が解決でき、発明の効果で述べられている効果が得られる場合には、この構成要件が削除された構成が発明として抽出され得る。
【図面の簡単な説明】
【００３６】
【図１】この発明の第１の実施の形態に係る釣り用餌箱を後方側から見た状態を示した平面図である。
【図２】図１を側方側から見た状態を示した平面図である。
【図３】図２の要部を断面して示した一部断面図である。
【図４】図１を底面側から見た状態を示した平面図である。
【図５】図３の係止部材を前後方向に傾斜させてポケットに装着した状態を示した一部断面図である。
【図６】図５を底面側から見た状態を示した平面図である。
【図７】この発明の第２の実施の形態に係る釣り用餌箱を側方側から見た状態を示した一部断面図である。
【図８】この発明の第３の実施の形態に係る釣り用餌箱を側方側から見た状態を示した平面図である。
【図９】図８を後面側から見た状態を示した平面図である。
【図１０】図９の一部を断面して示した一部断面図である。
【図１１】図８の一部を断面して示した一部断面図である。
【符号の説明】
【００３７】
１０…容器本体、１０１…開口、１０２…架設部、１０３…螺子部、１０４…脚部、１０５…係合凸部、１０６…係止体、１１…蓋体、１１１…回動軸、１１２…ロック部、１２…ベルト部材、１２１…ロック孔、１２２，１２３…第１及び第２のヒンジ部、１２４…延設部、１２５…係合孔、１２６…弾性係止部、１３…係止部材、１３１…取付部、１３２…弾性係止部、１３３…係止爪、１４…ポケット、２０…弾性係止部、２１…係止爪、３０…支持部、３０１…凹凸部、３１…係止部材、３１１…取付部、３１２…凹凸部、３１３…ナット部材、３１４…弾性係止部、３１５…係止爪、３２…回動軸、３２１…螺子部、３２２…操作摘み。
【図１】
2006006165.tif 000003
【図２】
2006006165.tif 000004
【図３】
2006006165.tif 000005
【図４】
2006006165.tif 000006
【図５】
2006006165.tif 000007
【図６】
2006006165.tif 000008
【図７】
2006006165.tif 000009
【図８】
2006006165.tif 000010
【図９】
2006006165.tif 000011
【図１０】
2006006165.tif 000012
【図１１】
2006006165.tif 000013